【手続補正書】
【提出日】平成16年10月18日(2004.10.18)
【手続補正１】
【補正対象書類名】特許請求の範囲
【補正対象項目名】全文
【補正方法】変更
【補正の内容】
【特許請求の範囲】
【請求項１】
周方向に亘って突起及び凹部が交互に形成されたスターローラを備え、記録媒体の上面にスターローラを接触させながら記録媒体を排出方向に向かって搬送する記録媒体排出機構において、
上記記録媒体の搬送方向上流側端縁がスターローラを通過する際にこの端縁をガイドするガイド手段が設けられており、
上記ガイド手段は、スターローラの側面視において、スターローラの凹部の移動軌跡よりもスターローラ中心側の位置、スターローラの凹部の移動軌跡上、スターローラの凸部の移動軌跡上を順に通過して略記録媒体排出側に向かって延びるガイド面を備えていることを特徴とする記録媒体排出機構。
【請求項２】
上記請求項１記載の記録媒体排出機構において、
ガイド手段のガイド面は、スターローラの側面視において、スターローラの凹部の移動軌跡上よりも記録媒体排出側の位置から上側へ傾斜する形状に形成されていることを特徴とする記録媒体排出機構。
【請求項３】
上記請求項１または２記載の記録媒体排出機構において、
スターローラの下側に配置されてこのスターローラとの間で記録媒体を挟持搬送する搬送ローラを備えており、
ガイド手段のガイド面は、スターローラの配設位置よりも記録媒体排出側の記録媒体搬送空間の上壁に対して、上記搬送ローラの配置側に位置していることを特徴とする記録媒体排出機構。
【請求項４】
上記請求項１、２または３記載の記録媒体排出機構において、
ガイド手段は、スターローラにおける回転軸方向の両側にそれぞれ設けられていることを特徴とする記録媒体排出機構。
【請求項５】
画像形成された記録媒体の上面に接触し且つ周方向に亘って突起及び凹部が交互に形成されたスターローラと、この記録媒体の下面に接触する搬送ローラとの間で記録媒体を挟持しながら排出方向に向かって搬送する記録媒体排出機構において、
上記記録媒体の搬送方向上流側端縁がスターローラを通過する際、この端縁が上記スターローラ外周面の突起によって破損されることを回避するように、記録媒体の上記端縁をガイドするガイド手段が設けられており、
上記ガイド手段は、スターローラの配設位置よりも記録媒体排出側の記録媒体搬送空間の上壁に対して、上記搬送ローラの配置側に位置するガイド面を備えていることを特徴とする記録媒体排出機構。
【請求項６】
上記請求項５記載の記録媒体排出機構において、
ガイド手段のガイド面は、スターローラと搬送ローラとのニップ部よりも記録媒体排出側位置において記録媒体排出方向に向かって次第に上側へ傾斜する傾斜面を備えていることを特徴とする記録媒体排出機構。
【請求項７】
周方向に亘って突起と凹部が交互に形成されたスターローラを備え、記録媒体の上面にスターローラを接触させながら記録媒体を排出方向に向かって搬送する記録媒体排出機構において、
上記記録媒体の搬送方向上流側端縁がスターローラを通過する際、この端縁が上記スターローラ外周面の突起によって破損されることを回避するように、記録媒体の上記端縁をガイドするガイド手段が設けられており、
上記ガイド手段は、スターローラ近傍に配置され、記録媒体排出方向に向かって次第に下側へ傾斜する第１傾斜面と、この第１傾斜面よりも記録媒体排出側に位置して記録媒体排出方向に向かって次第に上側へ傾斜する第２傾斜面と、この第１傾斜面と第２傾斜面とを繋ぐ滑らかな湾曲面とを備えており、スターローラの側面視において上記湾曲面がスターローラの突起の移動軌跡上に略重なるように配置されていることを特徴とする記録媒体排出機構。
【請求項８】
上記請求項７記載の記録媒体排出機構において、
スターローラは、記録媒体の搬送方向に対して直交する回転軸方向の複数箇所に配設されている一方、
ガイド手段は、個々のスターローラにおける回転軸方向両側であってそのスターローラに近接した位置にそれぞれ設けられていることを特徴とする記録媒体排出機構。
【請求項９】
上記請求項７または８記載の記録媒体排出機構において、
スターローラとの間で記録媒体を挟持搬送する搬送ローラを備えており、
この搬送ローラの外周面とガイド手段との間隔寸法は、スターローラの外周面に形成された互いに隣り合う突起同士の間隔寸法に等しいか若しくはそれよりも小さく設定されていることを特徴とする記録媒体排出機構。
【請求項１０】
上記請求項１〜９のうち何れか一つに記載の記録媒体排出機構を備え、画像形成手段からインク滴を吐出することにより記録媒体上面に画像形成を行い、画像形成後の記録媒体を上記記録媒体排出機構によって排出部に向かって排出するように構成されていることを特徴とするインクジェットプリンタ。
【手続補正２】
【補正対象書類名】明細書
【補正対象項目名】０００８
【補正方法】変更
【補正の内容】
【０００８】
−解決手段−
具体的には、周方向に亘って突起及び凹部が交互に形成されたスターローラを備え、記録媒体の上面にスターローラを接触させながら記録媒体を排出方向に向かって搬送する記録媒体排出機構を前提とする。この記録媒体排出機構に対し、上記記録媒体の搬送方向上流側端縁がスターローラを通過する際にこの端縁をガイドするガイド手段を設けている。また、このガイド手段に、スターローラの側面視において、スターローラの凹部の移動軌跡よりもスターローラ中心側の位置、スターローラの凹部の移動軌跡上、スターローラの凸部の移動軌跡上を順に通過して略記録媒体排出側に向かって延びるガイド面を備えさせている。
また、この場合、ガイド手段のガイド面を、スターローラの側面視において、スターローラの凹部の移動軌跡上よりも記録媒体排出側の位置から上側へ傾斜する形状に形成している。
更に、スターローラの下側に配置されてこのスターローラとの間で記録媒体を挟持搬送する搬送ローラを備えさせ、ガイド手段のガイド面を、スターローラの配設位置よりも記録媒体排出側の記録媒体搬送空間の上壁に対して、上記搬送ローラの配置側に位置させている。
更に、上記ガイド手段を、スターローラにおける回転軸方向の両側にそれぞれ設けている。
また、他の解決手段として以下のものが掲げられる。画像形成された記録媒体の上面に接触し且つ周方向に亘って突起及び凹部が交互に形成されたスターローラと、この記録媒体の下面に接触する搬送ローラとの間で記録媒体を挟持しながら排出方向に向かって搬送する記録媒体排出機構を前提とする。この記録媒体排出機構に対し、上記記録媒体の搬送方向上流側端縁がスターローラを通過する際、この端縁が上記スターローラ外周面の突起によって破損されることを回避するように、記録媒体の上記端縁をガイドするガイド手段を設けている。また、このガイド手段に、スターローラの配設位置よりも記録媒体排出側の記録媒体搬送空間の上壁に対して、上記搬送ローラの配置側に位置するガイド面を備えさせている。
この場合、上記ガイド手段のガイド面に、スターローラと搬送ローラとのニップ部よりも記録媒体排出側位置において記録媒体排出方向に向かって次第に上側へ傾斜する傾斜面を備えさせている。
更に、他の解決手段として以下のものが掲げられる。周方向に亘って突起と凹部が交互に形成されたスターローラを備え、記録媒体の上面にスターローラを接触させながら記録媒体を排出方向に向かって搬送する記録媒体排出機構を前提とする。この記録媒体排出機構に対し、上記記録媒体の搬送方向上流側端縁がスターローラを通過する際、この端縁が上記スターローラ外周面の突起によって破損されることを回避するように、記録媒体の上記端縁をガイドするガイド手段を設けている。また、このガイド手段をスターローラ近傍に配置すると共に、このガイド手段に、記録媒体排出方向に向かって次第に下側へ傾斜する第１傾斜面と、この第１傾斜面よりも記録媒体排出側に位置して記録媒体排出方向に向かって次第に上側へ傾斜する第２傾斜面と、この第１傾斜面と第２傾斜面とを繋ぐ滑らかな湾曲面とを備えさせ、スターローラの側面視においてこの湾曲面がスターローラの突起の移動軌跡上に略重なるように配置している。